(57)【要約】【課題】ガラス戸が開口を完全には開放していない状態であっても、人体に悪影響を及ぼさずに不快害虫の室内への侵入を抑制できる引き違い窓機構を提供する。【解決手段】引き違い窓機構１は、建造物の外壁に設けられた開口６０内をスライドする第１のガラス戸１０及び第１のガラス戸１０とは異なる第２のガラス戸２０とを有し、開口６０を開閉する引き違い式の一組のガラス戸と、一組のガラス戸の室外側若しくは室内側の一方の側に配置され、開口６０内をスライドする網戸３０と、第１のガラス戸１０と第２のガラス戸２０との隙間、及び第１のガラス戸１０若しくは第２のガラス戸２０と網戸３０との隙間に設けられ、一組のガラス戸の一方のガラス戸が開口６０を完全に開放していない中開きの状態において不快害虫の室内への侵入を防止する侵入防止部４０とを備える。【選択図】図１
0003185119.tif 000002
【実用新案登録請求の範囲】
【請求項１】
建造物の外壁に設けられた開口内をスライドする第１のガラス戸及び前記第１のガラス戸とは異なる第２のガラス戸とを有し、前記開口を開閉する引き違い式の一組のガラス戸と、
前記一組のガラス戸の室外側若しくは室内側の一方の側に配置され、前記開口内をスライドする網戸と、
前記第１のガラス戸と前記第２のガラス戸との隙間、及び前記第１のガラス戸若しくは前記第２のガラス戸と前記網戸との隙間に設けられ、前記一組のガラス戸の一方のガラス戸が前記開口を完全に開放していない中開きの状態において不快害虫の前記室内への侵入を防止する侵入防止部と
を備える引き違い窓機構。
【請求項２】
請求項１に記載の引き違い窓機構であって、
前記侵入防止部は、刷毛状体である引き違い窓機構。
【請求項３】
請求項１に記載の引き違い窓機構であって、
前記侵入防止部は、スポンジ状体である引き違い窓機構。
【請求項４】
請求項１〜３のいずれか一項に記載の引き違い窓機構であって、
前記侵入防止部は、回転体状である引き違い窓機構。
【請求項５】
請求項１〜４のいずれか一項に記載の引き違い窓機構であって、
前記侵入防止部は、表面から忌避剤を揮発させる引き違い窓機構。
【考案の詳細な説明】
【技術分野】
【０００１】
本考案は、室内への不快害虫の侵入を抑制する引き違い窓機構に関する。
【背景技術】
【０００２】
北側の窓や、お風呂の窓、台所の窓は、カーテンをするケースが少なく、さらに、外から見えることを気にする事が多い、このため、全開する事が少なく中開きにすることが多い。そして、これらの窓側は得てして日の当たらない側が多く、這う虫が出没しやすく、ビックリするような大きな虫が窓と窓の隙間から侵入している事が有る。
従来、ガラス戸と、ガラス戸の召し合わせ部に設けられ、マグネットを有する当接部材と、網戸と、網戸の縦框に設けられ、マグネットを有する当接部材とを備え、召し合わせ部の当接部材のマグネットによって網戸の当接部材のマグネットが引き付けられる引き違い窓機構が知られている（例えば、特許文献１参照。）。特許文献１に記載の引き違い窓機構によれば、ガラス戸が完全に開放されていない状態で当接部材を室外側へ突出させると、召し合わせ部の当接部材のマグネットがガラスの高さ方向の全域にわたってガラス戸に接触するので、一組のガラス戸間の隙間を塞ぐことができる。そして、当該マグネットによって網戸の当接部材のマグネットが引きつけられて、網戸の当接部材のマグネットがガラスの高さ方向の全域にわたってガラス戸に接触するので、網戸とガラス戸との隙間を塞ぐことができる。
【０００３】
また、常温揮散性薬剤を含有する担体を扁平状の薬剤容器の内部に収納した薬剤揮散体であって、薬剤容器の厚みが３ｍｍ〜１０ｍｍであり、かつ担体と薬剤容器内面との間に１ｍｍ以上の隙間を設けた網戸に固定して用いる薬剤揮散体が知られている（例えば、特許文献２参照。）。特許文献２に記載の薬剤揮散体によれば、当該薬剤揮散体を網戸に固定して用いることで薬剤が効率的に網戸全体に広がるので、蚊、ブユ等の不快害虫を駆除又は忌避できる。
【先行技術文献】
【特許文献】
【０００４】
【特許文献１】特開２０１０−２８１０８３号公報
【特許文献２】特開２０１２−１４０３８４号公報
【考案の概要】
【考案が解決しようとする課題】
【０００５】
しかし、特許文献１に記載されている引き違い窓機構においては、隙間を塞ぐ機構が複雑な構成であり、ガラス戸及び網戸の開閉時に大きな負荷になると共に、風雨に晒されて機構が汚れた場合に清掃が難しいことからゴミ等の付着により開閉しがたくなる場合がある。また、特許文献２に記載されている薬剤揮散体においては、一組のガラス戸が中開き状態である場合にガラス戸と網戸との間の隙間を塞ぐことができず、不快害虫が室内に侵入する場合があると共に、薬剤が網戸全体に広がるので、室外から網戸を介して室内に流入する空気によって薬剤が室内に拡散する。したがって、特許文献２に記載されている薬剤揮散体においては、室内の人体への薬剤の影響を完全に払拭することはできない。
【０００６】
したがって、本考案の目的は、ガラス戸が開口を完全には開放していない状態であっても、人体に悪影響を及ぼさずに不快害虫の室内への侵入を抑制できる引き違い窓機構を提供することにある。
【課題を解決するための手段】
【０００７】
本考案は、上記目的を達成するため、建造物の外壁に設けられた開口内をスライドする第１のガラス戸及び第１のガラス戸とは異なる第２のガラス戸とを有し、開口を開閉する引き違い式の一組のガラス戸と、一組のガラス戸の室外側若しくは室内側の一方の側に配置され、開口内をスライドする網戸と、第１のガラス戸と第２のガラス戸との隙間、及び第１のガラス戸若しくは第２のガラス戸と網戸との隙間に設けられ、一組のガラス戸の一方のガラス戸が開口を完全に開放していない中開きの状態において不快害虫の室内への侵入を防止する侵入防止部とを備える引き違い窓機構が提供される。
【考案の効果】
【０００８】
本考案に係る引き違い窓機構によれば、ガラス戸が開口を完全には開放していない状態であっても、人体に悪影響を及ぼさずに不快害虫の室内への侵入を抑制できる引き違い窓機構を提供できる。
【図面の簡単な説明】
【０００９】
【図１】本考案の第１の実施の形態に係る引き違い窓機構の上面図である。
【図２】本考案の第２の実施の形態に係る引き違い窓機構の上面図である。
【図３】本考案の第３の実施の形態に係る引き違い窓機構の上面図である。
【図４】本考案の第３の実施の形態の変形例に係る引き違い窓機構の分解斜視図である。
【図５】本考案の第３の実施の形態の他の変形例に係る引き違い窓機構の分解斜視図である。
【００１０】
［第１の実施の形態］
図１は、本考案の第１の実施の形態に係る引き違い窓機構の上面図の一例を示す。具体的に、図１（ａ）は、第１の実施の形態に係る引き違い窓機構が開口を閉じている閉状態を示し、図１（ｂ）は、第１の実施の形態に係る引き違い窓機構の一組のガラス戸の一方のガラス戸が開口の半分を全開にしている全開状態を示し、図１（ｃ）は、第１の実施の形態に係る引き違い窓機構の一組のガラス戸の一方のガラス戸が開口の半分を完全には開放していない中開きの状態（以下、「中開状態」と表すことがある）を示す。
【００１１】
（引き違い窓機構１の概要）
第１の実施の形態に係る引き違い窓機構１は、家屋やビル等の建造物の外壁に設けられた窓枠部５０及び窓枠部５５によって設けられた開口６０内を外壁面の水平方向にスライドする一組のガラス戸と、一組のガラス戸の室外側若しくは室内側のいずれか一方の側に配置され、開口６０内をスライドする網戸３０とを備える。ここで、一組のガラス戸は、第１のガラス戸１０と、第１のガラス戸１０とは異なる第２のガラス戸２０とを有する。
【００１２】
開口６０の上部の縁及び下部の縁にはそれぞれ、上部レール及び下部レールが設置されている（図示しない）。そして、上部レール及び下部レールのそれぞれに、一組のガラス戸及び網戸３０を備える引き違い窓機構１がスライド自在に嵌め込まれる。すなわち、第１の実施の形態に係る一組のガラス戸は、開口６０を開閉する引き違い式のガラス戸を構成する。
【００１３】
また、引き違い窓機構１は、第１のガラス戸１０と第２のガラス戸２０との隙間に設けられる侵入防止部４０と、第１のガラス戸１０と網戸３０との隙間に設けられる侵入防止部４５とを更に備える。侵入防止部４０及び侵入防止部４５は、一組のガラス戸の一方のガラス戸（例えば、図１（ｃ）に示す第１のガラス戸１０）が開口６０の半分を完全には開放していない中開状態において蝿、蚊、ブヨ等の飛ぶ不快害虫や、蜘蛛、ムカデ、ゴキブリ等の這う不快害虫の室内への侵入を防止する。
【００１４】
ここで、図１において引き違い窓機構１は、網戸３０を第１のガラス戸１０の第２のガラス戸２０とは反対側に備える。なお、第１の実施の形態に係る引き違い窓機構１の変形例においては、引き違い窓機構１は、網戸３０を第２のガラス戸２０の第１のガラス戸１０とは反対側に備えることもできる。この場合、侵入防止部４５は、第２のガラス戸２０と網戸３０との間に設けられる。
【００１５】
（第１のガラス戸１０、第２のガラス戸２０、及び網戸３０）
第１のガラス戸１０は、第１のガラス部１００と、第１のガラス部１００の縦方向の端部を保持する縦框１０５及び縦框１１０と、第１のガラス部１００の横方向の端部を保持する横框（図示しない）とを有する。同様に、第２のガラス戸２０は、第２のガラス部２００と、第２のガラス部２００の縦方向の端部を保持する縦框２０５及び縦框２１０と、第２のガラス部２００の横方向の端部を保持する横框（図示しない）とを有する。また、網戸３０は、網部３００と、網部３００の縦方向の端部を保持する縦框３０５及び縦框３１０と、網部３００の横方向の端部を保持する横框（図示しない）とを有する。なお、第１のガラス戸１０の横框、第２のガラス戸２０の横框、及び網戸３０の横框にはそれぞれ、上部レール及び下部レールに嵌め合うレール部が設けられる。
【００１６】
（侵入防止部４０及び侵入防止部４５）
侵入防止部４０は、第１のガラス戸１０の縦框１０５の端部であって、第１のガラス戸１０と第２のガラス戸２０との隙間に対応する位置に、縦框１０５の高さ方向に沿って設けられる。侵入防止部４０は、例えば、可撓性若しくは弾性を有する材料を用いて構成される板状部材である。一例として侵入防止部４０は、平面視にて長方形状を有する板状部材である。また、侵入防止部４０は、板状部材の一方の長辺が第２のガラス戸２０の表面に接触するか、あるいは当該表面の近傍に位置する配置（すなわち、一方の長辺が実質的に当該表面に接触しない配置）で縦框１０５の端部に固定される。
【００１７】
侵入防止部４５は、網戸３０の縦框３０５の端部であって、網戸３０と第１のガラス戸１０との隙間に対応する位置に、縦框３０５の高さ方向に沿って設けられる。侵入防止部４５も侵入防止部４０と同一材料、及び同一形状で構成することができる。また、侵入防止部４５を板状部材で構成した場合、板状部材の一方の長辺が第１のガラス戸１０の表面に接触するか、あるいは当該表面の近傍に位置する配置（すなわち、一方の長辺が実質的に当該表面に接触しない配置）で縦框３０５の端部に固定される。
【００１８】
なお、侵入防止部４０及び侵入防止部４５を、刷毛状形状を有する刷毛状体にすることもできる。また、侵入防止部４０及び侵入防止部４５を、スポンジ状体にすることもできる。更に、侵入防止部４０及び侵入防止部４５を、角柱形状を有する柱状体、断面多角形状を有する柱状体、若しくは表面に波形状を有する柱状体にすることもできる。
【００１９】
（引き違い窓機構１の機能）
図１（ｃ）に示すように、引き違い窓機構１が中開状態の場合、第１のガラス戸１０と第２のガラス戸２０との隙間を塞ぐ場所に侵入防止部４０が位置する。同様に第１のガラス戸１０と網戸３０との隙間を塞ぐ場所に侵入防止部４５が位置する。これにより、不快害虫９０及び不快害虫９５が第１のガラス戸１０と第２のガラス戸２０との隙間、及び第１のガラス戸１０と網戸３０との隙間を通過することができなくなる。
【００２０】
なお、本実施の形態に係る引き違い窓機構１は、引き戸を構成する一組のガラス戸だけではなく、断熱材を用いた窓、二重サッシ、電磁波シールド構造を有する窓、結露の防止を目的とした多重構造の窓、又は回転窓等の開閉時に窓間若しくは窓と網戸との間に隙間が発生する構造を有する様々な窓構造に適用することができる。
【００２１】
（第１の実施の形態の効果）
第１の実施の形態に係る引き違い窓機構１は、侵入防止部４０及び侵入防止部４５を備えているので、第１のガラス戸１０を中開状態にした場合、侵入防止部４０が第１のガラス戸１０と第２のガラス戸２０との隙間に位置すると共に、侵入防止部４５が第１のガラス戸１０と網戸３０との隙間に位置する。これにより、本実施の形態に係る引き違い窓機構１によれば、一組のガラス戸を中開き状態にした場合であっても、不快害虫９０及び不快害虫９５が室外から室内に侵入することを確実に防止できる。
【００２２】
また、第１の実施の形態に係る引き違い窓機構１は、第１のガラス戸１０の端部に侵入防止部４０を設け、網戸３０の端部に侵入防止部４５を設けるだけで構成できるので、極めて簡単な構成で引き違い窓機構１を実現することができ、侵入防止部４０及び侵入防止部４５の清掃も実質的に不要にすることができる。これにより、メンテナンスフリーの引き違い窓機構１を提供できる。
【００２３】
（第２の実施の形態）
図２は、本考案の第２の実施の形態に係る引き違い窓機構の上面図の一例を示す。具体的に、図２（ａ）は、第２の実施の形態に係る引き違い窓機構が開口を閉じている閉状態を示し、図２（ｂ）は、第２の実施の形態に係る引き違い窓機構の一組のガラス戸の全開状態を示し、図２（ｃ）は、第２の実施の形態に係る引き違い窓機構の一組のガラス戸の中開状態を示す。
【００２４】
第２の実施の形態に係る引き違い窓機構２は、第１の実施の形態に係る引き違い窓機構１とは侵入防止部の構成が異なる点を除き、引き違い窓機構１と略同一の構成及び機能を備える。したがって、相違点を除き詳細な説明は省略する。
【００２５】
第２の実施の形態に係る第１のガラス戸１０は、第２のガラス戸２０に向けて設けられると共に縦框１０５の端部に配置される侵入防止部４０ａと、縦框１１０の第１のガラス部１００を保持している側に、網戸３０側に向けて設けられる侵入防止部４５ｂとを有する。また、侵入防止部４０ａは、第１のガラス戸１０と第２のガラス戸２０との隙間に対応する位置に、第２のガラス部２００に接触しない配置で縦框１０５の高さ方向に沿って設けられる。一方、侵入防止部４５ｂは、第１のガラス戸１０と網戸３０との隙間に対応する位置に、網部３００に接触しない配置で縦框１１０の高さ方向に沿って設けられる。
【００２６】
また、第２のガラス戸２０は、縦框２１０の第２のガラス部２００を保持している側に、第１のガラス戸１０側に向けて設けられる侵入防止部４０ｂを有する。侵入防止部４０ｂは、第１のガラス戸１０と第２のガラス戸２０との隙間に対応する位置に、第１のガラス部１００に接触しない配置で縦框２１０の高さ方向に沿って設けられる。更に、網戸３０は、第１のガラス戸１０に向けて設けられると共に縦框３０５の端部に配置される侵入防止部４５ａを有する。侵入防止部４５ａは、網戸３０と第１のガラス戸１０との隙間に対応する位置に、第１のガラス部１００に接触しない配置で縦框３０５の高さ方向に沿って設けられる。
【００２７】
そして、本実施の形態に係る侵入防止部４０ａ、侵入防止部４０ｂ、侵入防止部４５ａ、及び侵入防止部４５ｂはそれぞれ不快害虫の忌避剤を含む。例えば、侵入防止部４０ａ、侵入防止部４０ｂ、侵入防止部４５ａ、及び侵入防止部４５ｂはそれぞれ、表面に忌避剤の塗布層を有する。また、侵入防止部４０ａ、侵入防止部４０ｂ、侵入防止部４５ａ、及び侵入防止部４５ｂのそれぞれに忌避剤を含浸させることもできる。含侵方法としては、素材に混ぜ込み成形したり、素材をスポンジ状にした後しみこませても良い。これにより忌避剤は、侵入防止部４０ａ、侵入防止部４０ｂ、侵入防止部４５ａ、及び侵入防止部４５ｂの表面それぞれから外部に向けて揮発する。
ここで、侵入防止部４０ａ、侵入防止部４０ｂ、侵入防止部４５ａ、及び侵入防止部４５ｂは直線状と成っているが、それぞれ、縦框３０５の角部にＬ字状に、揮発面を広く設けても良い。さらに、表面を、折り曲げた返し部を設けた構造や、例えば、ナメクジなどが歩きにくいざらざらな表面にとするなど不快害虫が歩きにくい構造としたり、忌避剤と組み合わせても良い。さらには、侵入防止部４０ａ、侵入防止部４０ｂ、侵入防止部４５ａ、及び侵入防止部４５ｂは、縦框１０５、１１０、２１０、３０５、３１０に貼り付けて設けてもよいし、縦框１０５、１１０、２１０、３０５、３１０に溝を設けて、はめ込んで設置できるようにしても良い。そのようにすれば、交換しやすくなる。
【００２８】
忌避剤としては、大気中に揮発する薬剤であって、不快害虫に忌避行動をさせる薬剤を用いることができる。例えば、忌避剤として、Ｎ，Ｎ−ジエチル−ｍ−トルアミド、ジメチルフタレート、ジブチルフタレート、２−エチル−１，３−ヘキサンジオール、１，４，４ａ，５ａ，６，９，９ａ，９ｂ−オクタヒドロジベンゾフラン−４ａ−カルバイド、ｐ−メンタン−３，８−ジオール等を用いることができる。なお、忌避剤に、抗菌剤、防カビ剤、又は芳香剤等を添加することもできる。
【００２９】
（引き違い窓機構２の機能）
図２（ｃ）に示すように、引き違い窓機構２が中開状態の場合、第１のガラス戸１０と第２のガラス戸２０との隙間に侵入防止部４０ｂが位置する。同様に第１のガラス戸１０と網戸３０との隙間に侵入防止部４５ｂが位置する。更に、第１のガラス戸１０と第２のガラス戸２０との隙間の入り口にあたる部分に侵入防止部４０ａが位置すると共に、第１のガラス戸１０と網戸３０との隙間の入り口にあたる部分に侵入防止部４５ａが位置する。
【００３０】
これにより、第１のガラス戸１０と第２のガラス戸２０との隙間の入り口付近に接近した不快害虫９５は、侵入防止部４０ａから揮発する忌避剤により当該隙間から遠ざかる。また、仮に当該隙間に不快害虫９０が侵入したとしても、侵入防止部４０ｂから揮発する忌避剤により、不快害虫９０の室内への侵入が防止される。同様に、網戸３０と第１のガラス戸１０との隙間の入り口付近に接近した不快害虫９７は、侵入防止部４５ａから揮発する忌避剤により当該隙間から遠ざかる。また、仮に当該隙間に不快害虫９２が侵入したとしても、侵入防止部４５ｂから揮発する忌避剤により、不快害虫９２の室内への侵入が防止される。
【００３１】
（第２の実施の形態の効果）
第２の実施の形態に係る引き違い窓機構２は、一組のガラス戸が中開状態の場合に不快害虫が通過し得る位置に忌避剤を塗布若しくは含有した侵入防止部４０ａ、侵入防止部４０ｂ、侵入防止部４５ａ、及び侵入防止部４５ｂを備えているので、室内への不快害虫の侵入を防止することができると共に、室内への忌避剤の拡散を抑制することができる。これにより、引き違い窓機構２によれば、忌避剤の人体への影響を低減することができると共に、忌避剤を塗布若しくは含浸させた侵入防止部により、第１のガラス戸１０と第２のガラス戸２０との隙間、及び第１のガラス戸１０と網戸３０との隙間に侵入し得る微小昆虫の室内への侵入も抑制できる。特に、北側の窓や、お風呂の窓、台所の窓は、カーテンをするケースが少なく、外から見えることを気にする事が多く、全開する事が少なく、中開きにすることが多い。また、これらの窓側は得てして、這う虫が出没しやすい。これらの虫の侵入を防ぐ事が出来る。
【００３２】
（第３の実施の形態）
図３は、本考案の第３の実施の形態に係る引き違い窓機構の上面図の一例を示す。具体的に、図３は、第３の実施の形態に係る引き違い窓機構の一組のガラス戸の中開状態を示す。
【００３３】
第３の実施の形態に係る引き違い窓機構３は、第２の実施の形態に係る引き違い窓機構２とは侵入防止部の形状が異なる点を除き、引き違い窓機構２と略同一の構成及び機能を備える。したがって、相違点を除き詳細な説明は省略する。
【００３４】
引き違い窓機構３が備える侵入防止部４２ａ、侵入防止部４２ｂ、侵入防止部４７ａ、及び侵入防止部４２ｂはそれぞれ、円柱状の回転体として構成される。したがって、侵入防止部４２ａ、侵入防止部４２ｂ、侵入防止部４７ａ、及び侵入防止部４７ｂは、円柱の中心軸を回転軸として回転自在に設けることができる。また、侵入防止部４２ａ、侵入防止部４２ｂ、侵入防止部４７ａ、及び侵入防止部４７ｂはそれぞれ、表面に忌避剤の塗布層を有することができる。なお、侵入防止部４２ａ、侵入防止部４２ｂ、侵入防止部４７ａ、及び侵入防止部４７ｂはそれぞれ、忌避剤を含有することもできる。
【００３５】
図４は、本考案の第３の実施の形態の変形例に係る引き違い窓機構の分解斜視図の一部を示す。
【００３６】
図４に示す引き違い窓機構は、第３の実施の形態に係る引き違い窓機構３とは侵入防止部の形状が異なる点を除き、引き違い窓機構３と略同一の構成及び機能を備える。したがって、相違点を除き詳細な説明は省略する。なお、第３の実施の形態の変形例に係る引き違い窓機構は、第３の実施の形態に係る引き違い窓機構３と同様の位置に複数の侵入防止部を備える。ここでは説明を簡略化するため、１つの侵入防止部について説明する。
【００３７】
まず、第１のガラス戸１０が有する縦框１０５の端部に円柱状の回転体としての侵入防止部４８が設けられる。侵入防止部４８は、回転体の中心を軸として回転自在に設けることもできる。そして、侵入防止部４８の表面に、忌避剤を含有させたブラシ４８０が設けられる。侵入防止部４８は、予め定められた間隔をおいて複数のブラシ４８０を表面に有する。図４の例において侵入防止部４８は、４つのブラシ４８０を表面に有する。
【００３８】
図５は、本考案の第３の実施の形態の他の変形例に係る引き違い窓機構の分解斜視図の一部を示す。
【００３９】
図５に示す引き違い窓機構は、第３の実施の形態に係る引き違い窓機構３とは侵入防止部の形状が異なる点を除き、引き違い窓機構３と略同一の構成及び機能を備える。したがって、相違点を除き詳細な説明は省略する。なお、第３の実施の形態の他の変形例に係る引き違い窓機構は、第３の実施の形態に係る引き違い窓機構３と同様の位置に複数の侵入防止部を備える。ここでは説明を簡略化するため、１つの侵入防止部について説明する。
【００４０】
まず、第１のガラス戸１０が有する縦框１０５の端部表面に薄板状の侵入防止部４９が設けられる。侵入防止部４９は、例えば、テープ状を呈する。そして、侵入防止部４９は、第２のガラス戸２０側に向けてブラシ４８０を有する。ブラシ４８０には忌避剤を含有させることができる。また、縦框１０５の侵入防止部４９が設けられる表面に、侵入防止部４９の貼付用の溝若しくはガイドを設けることができる。溝若しくはガイドを縦框１０５に設けることにより、侵入防止部４９が有するブラシ４８０が摩耗した場合、及びブラシ４８０に含有させた忌避剤の効果が薄れた場合に、新たな侵入防止部４９に貼り替えることが容易になる。
【００４１】
以上、本考案の実施の形態を説明したが、上記に記載した実施の形態は実用新案登録請求の範囲に係る考案を限定するものではない。また、実施の形態の中で説明した特徴の組合せの全てが考案の課題を解決するための手段に必須であるとは限らない点に留意すべきである。
【符号の説明】
【００４２】
１、２、３  引き違い窓機構
１０  第１のガラス戸
２０  第２のガラス戸
３０  網戸
４０、４０ａ、４０ｂ、４２ａ、４２ｂ  侵入防止部
４５、４５ａ、４５ｂ、４７ａ、４７ｂ  侵入防止部
４８、４９  侵入防止部
５０、５５  窓枠部
６０  開口
９０、９２、９５、９７  不快害虫
１００  第１のガラス部
１０５、１１０  縦框
２００  第２のガラス部
２０５、２１０  縦框
３００  網部
３０５、３１０  縦框
４８０  ブラシ
【図１】
0003185119.tif 000003
【図２】
0003185119.tif 000004
【図３】
0003185119.tif 000005
【図４】
0003185119.tif 000006
【図５】
0003185119.tif 000007